(57)【要約】 【課題】地中熱と太陽熱を利用した木材乾燥装置であって、建築物の外壁部断熱材２２とその外壁部断熱材２２の地中側に連結され地中３ｍ以上に挿入されている遮水性能を付加した地中側断熱材１とからなる断熱壁があることで地中熱と太陽熱を利用して燃料費のコストを下げ、短時間での木材含水率を下げ、木材の細胞破壊の防止することができる木材乾燥装置を開発すること。【解決手段】本発明は地中熱と太陽熱を利用した建築物の木材乾燥装置であって、地中３ｍ以下の地中熱１５〜１６℃を潤沢に採熱でき、温度差で自然結露できる床下放熱ボックス３と、地中熱に太陽熱４０〜６０℃を採熱加算し、早期に加温することができる木材乾燥室１５で化石燃料が不要で早期に木材含水率を下げることができ、木材の細胞破壊がない木材乾燥装置。【選択図】図１
2014077574.tif 000002
【特許請求の範囲】
【請求項１】
地中熱と太陽熱を利用した木材乾燥装置であって、
建築物の外壁部断熱材とその外壁部断熱材の地中側に連結され地中３ｍ以上に挿入されている遮水性能を付加した地中側断熱材とからなる断熱壁と、
建築物の１階床組断熱床を天井部とし、壁部を該断熱壁、底部を蓄熱層で形成、壁には循環のための吸込口が設けられた床下放熱ボックスと、
建築物の１階断熱天井部と、壁部を該断熱壁、床部を１階床組断熱床で形成し、壁には循環のための下部吹出口が設けられ、床には循環のための吸込口が接続された木材乾燥室と、
床下放熱ボックスの該吸込口、該断熱壁の内側に設けられた上昇用壁ダクト、軒先、屋根材下ダクト、該断熱壁の内側に設けた降下用壁ダクトに接続し、降下送風機を介して木材乾燥室の壁下に設けられた該下部吹出口が接続している太陽熱循環ダクトと、
からなり、木材乾燥室の床に設けられた該吸込口の床下放熱ボックス側に結露用ダクトが接続されていることを特徴とする地中熱と太陽熱を利用した木材乾燥装置。
【請求項２】
蓄熱層は床下放熱ボックスの断熱壁内側の床面に基礎コンクリートと下層に常時灌水層を設けることを特徴とする請求項１に記載の地中熱と太陽熱を利用した木材乾燥装置。
【請求項３】
床下放熱ボックスにはその下端部が蓄熱層よりも地中側に突出している地下水循環用上井戸と、その地下水循環用上井戸に設置した地下水用循環ポンプと放熱機と、その下層部が蓄熱層よりも地中側に突出している地下水循環用下井戸が設けられていることを特徴とする請求項１に記載の地中熱と太陽熱を利用した木材乾燥装置。
【請求項４】
地中側断熱材は板状であって、断熱板を床下放熱ボックスの周囲に形成していることを特徴とする請求項１に記載の地中熱と太陽熱を利用した木材乾燥装置。
【請求項５】
地中側断熱材を掘削部に施工することを特徴とする請求項１に記載の地中熱と太陽熱を利用した木材乾燥装置。
【請求項６】
太陽熱循環ダクトは外気を取り入れるための吸気口に接続していることを特徴とする請求項１に記載の地中熱と太陽熱を利用した木材乾燥装置。
【発明の詳細な説明】
【技術分野】
【０００１】
本発明は、地中熱と太陽熱を利用した木材乾燥装置に関するものである。
【背景技術】
【０００２】
木材乾燥装置はいろいろな構成が考えられているが、例えば木材を蒸気で加温した後冷却し、さらに乾燥を繰り返すことで木材の含水率を下げる木材乾燥装置では木材の細胞破壊がおき、大きな変形もあり、色艶がない木材ができ、燃料となる電気や重油ボイラーや加圧乾燥釜の設備が必要になり、乾燥量も少ない為、作業工程が大幅に増え、設備費と燃料費が負担になっている。
【０００３】
また、特許文献１には細胞膜の水移動機能を応用した木材用乾燥機が開示されているが、この木材用乾燥機は乾燥機躯体に乾燥木材を設け、乾燥機躯体を３０から５０℃に小規模ヒータで温度調整させて乾燥機躯体の乾燥木材にグリーン材（被乾燥木材）の水分を移動して平準化しつつ乾燥機躯体の湿度調整を複数の小窓で実施している。
しかしながら、この木材用乾燥機では小規模ヒータで温度調整するので電気等が必要であり、乾燥機躯体内の温度確保や湿度調整が難しい。
【０００４】
また、特許文献２には太陽熱利用の木材乾燥装置が開示されているが、この木材乾燥装置は木材乾燥室と除湿室からなっていて、木材乾燥室は太陽光を採取するための側部採光用側壁が設けられ、床にグレーチング、壁に反射板、壁と天井部に木材搬出搬入設備があり、太陽光の中温を潤沢に採取して木材を加温し、水分の蒸発を促進し、また、除湿室は断熱材で仕切られて上部と下部に空気を循環のための通気口が設けられて周囲の壁面を断熱材で囲まれ、金属製結露促進板・ファン・排気ファン・排水孔が設けられて飽和水蒸気を結露させて除湿をしている。しかしながら、この木材乾燥装置は太陽光を採取するための側部採光用側壁から太陽光が入射して床のグレーチングで発熱し、壁の反射板で加温し、太陽光で中温を確保した木材乾燥用サンルームにして木材を加温することで木材の水分を蒸発させてファンを介して送風して除湿室の金属製結露促進板で飽和水蒸気を結露させ、排水しているが、太陽光が側部採光用側壁から入射光や反射板から包装された木材面に照射される面と照射されない面で温度差がでて木材に歪みがでる。また、木材乾燥室が太陽熱で中温になった飽和水蒸気を除湿室に送風して金属製結露促進板で結露させているが温度差が十分でなく結露の促進が少ない。
【先行技術文献】
【特許文献】
【０００５】
【特許文献１】特開２００９−１０９１７０号公報
【特許文献２】特開２００９−９０５３２号公報
【発明の開示】
【発明が解決しようとする課題】
【０００６】
本発明はこのような課題を解決することを目的とする。
【課題を解決するための手段】
【０００７】
地中熱と太陽熱を利用した木材乾燥装置であって、
建築物の外壁部断熱材とその外壁部断熱材の地中側に連結され地中３ｍ以上に挿入されている遮水性能を付加した地中側断熱材とからなる断熱壁と、
建築物の１階床組断熱床を天井部とし、壁部を該断熱壁、底部を蓄熱層で形成、壁には循環のための吸込口が設けられた床下放熱ボックスと、
建築物の１階断熱天井部と、壁部を該断熱壁、床部を１階床組断熱床で形成し、壁下に循環のための下部吹出口が設けられ、床には循環のための吸込口が接続された木材乾燥室と、
床下放熱ボックスの該吸込口、該断熱壁の内側に設けられた上昇用壁ダクト、軒先、屋根材下ダクト、該断熱壁の内側に設けた降下用壁ダクトに接続し、降下送風機を介して木材乾燥室の壁下に設けられた該下部吹出口が接続している太陽熱循環ダクトと、からなり、木材乾燥室の床に設けられた該吸込口の床下放熱ボックス側に結露用ダクトが接続されていることを特徴とする
【０００８】
また、蓄熱層は床下放熱ボックスの断熱壁内側の床面に基礎コンクリートと下層に常時灌水層を設けることを特徴とする。
【０００９】
また、床下放熱ボックスにはその下端部が蓄熱層よりも地中側に突出している地下水循環用上井戸と、その地下水循環用上井戸に設置した地下水用循環ポンプと放熱機と、その下層部が蓄熱層よりも地中側に突出している地下水循環用下井戸が設けられていることを特徴とする。
【００１０】
また、地中側断熱材は板状であって、断熱板を床下放熱ボックスの周囲に形成して
いることを特徴とする。
【００１１】
また、地中側断熱材を掘削部に施工することを特徴とする。
【００１２】
また、太陽熱循環ダクトは外気を取り入れるための吸気口に接続していることを特徴とする。
【００１３】
次に作用について説明する。本発明の地中熱と太陽熱を利用した木材乾燥装置は昼間に床下放熱ボックスの１５〜１６℃の地中熱を吸込口より吸い込み上昇用壁ダクト、屋根材下ダクトに通気して太陽熱を加算して、冬期は４０〜６０℃、夏期は４０〜６０℃の太陽熱を降下送風機を介して降下用壁ダクトに通気送風して下部吹出口より適度な風速で通風し、木材乾燥室と木材を冬期、夏期でも中温の４０℃に緩やかに加温することで乾燥木材（含水率１２％以下）と被乾燥木材（含水率３５％以上）の水分を平準化させつつ、木材乾燥室の床面の吸込口より１５〜１６℃の床下放熱ボックスに結露用ダクトで送風させて飽和過剰水を結露用ダクトで結露させその結露水を排水孔より排水し、除湿を繰り返し行うことで木材を所定の含水率まで下げることができる。
夜間は木材乾燥室に昼間に加温された木材から放熱させることで木材から熱と水分が放出し、さらに木材の含水率を下げる。また、木材乾燥室の床面に設けた吸込口より１５〜１６℃の床下放熱ボックスに結露用ダクトに送風させて飽和過剰水を結露用ダクトで自然結露させて結露水を排水孔より排水し、除湿する。
また、毎日、昼夜繰り返すことで冬期は１５日、夏期は１２日位で柱材は含水率１５％以下、板材は含水率１２％以下の乾燥木材にすることができる。
【００１４】
本発明の断熱壁は建築物の外壁部断熱材とその外壁部断熱材の地中側に連結され地中３ｍ以上に挿入され、地中側断熱材により地下水や雨水の影響を受けずに地中恒温層の地中熱を利用し、また、断熱壁で囲まれた床下放熱ボックス内と蓄熱層に安定した地中熱を熱平衡で確保ができる。
地中側断熱材の地中３ｍ以下では外気温の影響を地中熱が受けるため地中３ｍ以上とすることで地下階床よりも地中側に床下放熱ボックスを設けた構成と合いまって、より外気温の影響が少なくなり安定した地中熱の確保ができる。
【発明の効果】
【００１５】
本発明の地中熱と太陽熱を利用した木材乾燥装置は昼間に床下放熱ボックスの地中熱１５〜１６℃に冬期は屋根材下の太陽熱４０〜６０℃、夏期は屋根材下の太陽熱４０〜６０℃を加温され、木材乾燥装室と木材を緩やかに４０℃に加温することで乾燥木材と被乾燥木材の水分を同化させつつ、木材の水分を蒸発させてから床下放熱ボックスに送風することで温度差が十分にとれ、結露用ダクトで結露が大幅に促進されるので、木材の所定の含水率が早期にすることができる。
【００１６】
また、太陽熱と地中熱のみを利用しただけで十分な乾燥効果が確保できるので、小型ヒータなども必要がなく、電気や燃料費がいらない。
【００１７】
床下放熱ボックスは地下水温採取装置で地中熱が潤沢に採取でき、１階階床下の地上部と地中側からなることで外気温の影響が少ない構造になり、木材の乾燥が確実に促進される。
【００１８】
蓄熱層は１階床下の床下放熱ボックスの断熱壁内側の床面に基礎コンクリートと常時灌水槽を設けることで伝導率が飛躍的に改善され、床下放熱ボックスの地中熱の蓄熱量が増え、循環送風することで太陽熱を加算して短時間で木材乾燥室の木材を加温や除湿を繰り返すことができる。
【００１９】
地下水循環用上井戸と地下水循環用下井戸を床下放熱ボックスに設けたので、床下放熱ボックスのおける地中熱の温度を安定させることができ、木材乾燥をより促進させる。
【００２０】
太陽熱循環ダクトは外気を取り入れるための給気口に接続しているので、特に夏期
に地中熱の温度上昇を促進させることができるので、木材乾燥の時間をより短縮させ
ることができる。
【図面の簡単な説明】
【００２１】
【図１】本発明に係る木材乾燥装置全体構成断面図
【図２】同地中側断熱材挿入側面図
【図３】同地中側断熱壁単体・遮水連結部平断面図
【図４】同操作盤及び温度制御部の構成図
【図５】同木材乾燥装置冬期全体構成断面図
【図６】同木材乾燥装置夏期全体構成断面図
【図７】同木材乾燥装置冬期の床下放熱ボックス平面図
【図８】同木材乾燥装置夏期の床下放熱ボックス平面図
【図９】同地中断熱材断面・平面図
【図１０】同木材乾燥装置冬期の木材乾燥室平面図
【図１１】同木材乾燥装置夏期の木材乾燥室平面図
【図１２】同木材乾燥装置冬期の屋根伏図
【図１３】同木材乾燥装置夏期の屋根伏図
【発明を実施するための形態】
【００２２】
以下、本発明を実施するための最良の形態を図面に基づいて詳細に説明する。本発明の図１に記載されているように、木材乾燥装置全体構成断面図は建築物の外壁部断熱材２２とその外壁部断熱材２２の地中側に連結され地中３ｍ以上に挿入されている遮水性能を付加した地中側断熱材１とからなる断熱壁と、
建築物の１階床の下側に天井部を１階床下に設けた断熱床５７、壁部を該断熱壁、底部を蓄熱層１９と常時灌水層３７により形成して地中熱を熱平衡で採熱できる。
建築物の１階断熱天井部、断熱層５７と、壁部を該断熱壁、外部断熱材２２、床部を１階床組５８の断熱層５７で形成し、壁には循環のための下部吹出口Ａが設けられ、床には循環のための吸込口Ｃが接続された木材乾燥室１５と、
床下放熱ボックス３の該吸込口Ｂ、該断熱壁の内側に設けられた上昇用壁ダクト１６、軒先３３、屋根材下ダクト１３、該断熱壁の内側に設けた降下用壁ダクト１６に接続し、降下送風機８を介して木材乾燥室１５の壁下に設けられた該下部吹出口Ａが接続している太陽熱循環ダクト１２と、からなっており、木材乾燥室１５の床面の吸
込口Ｃから床下放熱ボックス３の循環送風機９を介して結露用ダクト１４−２に接続して飽和水蒸気の余剰水を自然結露させた0.038ｌ／ｍ３の結露水を吹出口Ｄより排水し、除湿します。
夜間は木材乾燥室１５内の昼間加温された木材乾燥装室１５と木材の熱と水分が放出していくと共に床下放熱ボックス３の循環送風機９を介して結露用ダクト１４−２で飽和水蒸気の余剰水を結露させ、0.004ｌ／ｍ３の結露水を排水して除湿を毎日・昼夜繰り返すことで木材の含水率を徐々に下げ、化石エネルギーの要らない木材乾燥装置をつくることができる。
また、床下放熱ボックス３には吸込口Ｂを設け、太陽熱循環ダクト１２、集熱ボックス２４に接続し、降下送風機８を介して太陽熱循環ダクト１２に下部吹出口Ａに接続して循環送風している。
さらに、床下放熱ボックス３の黴はチタンコーティングで制御と黴除去フィルター２３で除去して木材に黴の付着を極力減らすことができる。
【００２３】
また、図２の地中側断熱材挿入側面図に示しているように、３ｍ以上の深さに挿入されている板状の地中側断熱材１は地上側の板状の外壁断熱材２２と設計地盤付近で連結されている。
【００２４】
本発明の図３に記載されているように、地中側断熱材１の遮水連結部２には水３倍膨張性ゴム１１を地中側断熱材１と地中側断熱材１の間に装着して、地中に埋設後は水３倍膨張性ゴム１１が水膨張し、隔離できるようにしている。
尚、図１のように地中側断熱材１は掘削部の下層部に割栗石６５その上部に均しモルタル６６を設け、その上部に地中側断熱材１を施工する。
【００２５】
本発明の図４に記載されているように、操作盤及び温度制御部の構成図で温度制御は温度制御部によって行なわれる。外部には温度センサーと湿度センサーと操作盤が設置されていて、操作盤には温度設定部に暖房の自動・強・中・弱の切換部があり、補助除湿機１０の自動・強・中・弱の切換部がある。
降下送風機８と循環送風機９の切換部があり、降下送風機８と循環送風機９には強・中・弱の切換部があり、補助除湿機１０のＯＮ／ＯＦＦの切換部もある。
また、温度制御部には温度センサーのための温度検出部、湿度センサーのための湿度検出部、温度コントロール部、降下送風機８と循環送風機９の風量調節部、補助除湿機１０のＯＮ／ＯＦＦが内蔵されている。降下送風機８と循環送風機９内にはダンパー７が内蔵され、床下放熱ボックス３内には補助除湿機１０のＯＮ／ＯＦＦが内蔵され、床下放熱ボックス３内のダンパー７が設けられ連動している。
【００２６】
このような制御によって、例えば、冬期の昼間に木材乾燥室１５の温度を温度設定部で調節することで風量も調節され、放熱量が調節される。
また、冬期の夜間には木材乾燥室１５内の床面の吸込口Ｃより黴除去フィルター２３に通気し、結露用ダクト１４−２の循環送風機９を介して送風し、風量も調整され、結露し、除湿される。
操作盤には降下送風機８、循環送風機９の送風調整スィッチがあり自動、強、中、弱がある。また、風量調整スィッチがあり自動、強、中、弱があり、風量も調節され、これを組み合わせることで室温度を調節することができる。
【００２７】
例えば、夏期の昼間には室内の温度が２５℃の時に操作盤で木材乾燥室１５の温度設を操作し、４０℃に設定すると、自動制御であれば、下降用壁ダクト１４−１の下降送風機８を介して送風し、風量も調整され、床面の吸込口Ｃより床下放熱ボックス３に通気され、４０℃に調整する。
また、夏期の夜間には木材乾燥室１５内の床面の吸込口Ｃより黴除去フィルター２３に通気し、結露用ダクト１４−２の循環送風機９を介して送風し、風量も調整され、冷却結露し、除湿される。
【００２８】
本発明の図５に記載されているように、木材乾燥装置冬期全体構成断面図は冬期の昼間は地中恒温層２０の１５〜１６℃の地中熱が熱平衡での採熱し、伝導と加温している。
床下放熱ボックス３の吸込口Ｂより壁ダクト１６、軒先３３に通気してテンパーライ４２と棟凹形ＳＵＳ鏡面太陽熱集熱器４３で加温された屋根材下ダクト１３で太陽熱を採熱し、集熱ボックス２４に集熱して下降送風機８を介して降下ダクト１４−１で降下し、下部吹出口Ａより緩やかに木材乾燥室１５に放熱され乾燥木材６３と被乾燥木材６４も加温されている。
また、真空式太陽熱温水器１７と太陽熱採熱ハンドリング銅管４４より循環ポンプ３１−１を介して木材乾燥室１５のベースボードヒータ２６で放熱して木材乾燥室１５に放熱され乾燥木材６０と被乾燥木材６１も４０℃に加温されている。
木材乾燥室１５の床面の吸込口Ｃより循環送風機９を介して結露用ダクト１４−２に通気させて温度差によって飽和水蒸気余剰水を自然結露させて0.038ｌ／ｍ３の結露水を排水して除湿する。床下放熱ボックス３の吸込口Ｂより壁ダクト１６、軒先３３、屋根材下ダクト１３、集熱ボックス２４、降下ダクト１４−１に通気して下部吹出口Ａより緩やかに木材乾燥室１５の乾燥木材６３と被乾燥木材６４の水分を同化させつつ、放熱と冷却で水分の発散を繰り返し行うことで所定の含水率（１２〜１５％以下）にすることができる。
冬期の夜間は木材乾燥室１５内の木材の冷却と共に水分も放出していくと共に木材乾燥室１５の床面の吸込口Ｃより循環送風機９を介して結露用ダクト１４−２で通気させ、温度差によって飽和水蒸気の余剰水を自然結露させて0.004ｌ／ｍ３の結露水を排水して除湿する。床下放熱ボックス３の吸込口Ｂより壁ダクト１６、軒先３３、屋根材下ダクト１３、集熱ボックス２４、降下ダクト１４−１に通気して下部吹出口Ａより緩やかに木材乾燥室１５の乾燥木材６３と被乾燥木材６４の水分を同化させつつ、木材も冷却して放熱と冷却で水分の発散を繰り返し行うことで所定の含水率（１２〜１５％以下）にすることができる。
【００２９】
本発明の図６に記載されているように、木材乾燥装置夏期全体構成断面図は夏期の昼間は吸込口Ｂより地中熱を吸い込み上昇用壁ダクト１６、軒先３３に通気してテンパーライト４２と棟凹形ＳＵＳ鏡面太陽熱集熱器４３で加温された屋根材下ダクト１３で太陽熱を採熱し、集熱ボックス２４に集熱して下降送風機８を介して降下用壁ダクト１４−１で降下させて下部吹出口Ａより緩やかに木材乾燥室１５に放熱され乾燥木材６０と被乾燥木材６１も加温される。
また、真空式太陽熱温水器１７と太陽熱採熱ハンドリング銅管４４より循環ポンプ３１−１を介して木材乾燥室１５のベースボードヒータ２６で放熱して乾燥木材６３と被乾燥木材６４も追加加温され、含水量が同化する。
さらに、外部に給気口２８を設けて高温の外気を給気口２８より壁ダクト１６、屋根材下ダクト１３に通気し、加温を促進することもできる。
木材乾燥室１５の床面の吸込口Ｃより循環用送風機９を介して結露用ダクト１４−２で通気させて温度差により結露用ダクト１４−２で飽和水蒸気の余剰水を自然結露させ0.038ｌ／ｍ３の結露水を排水し、除湿して床下放熱ボックス３の吸込口Ｂより循環送風を繰り返し行うことで所定の含水率にすることができる。
夏期の夜間は木材乾燥室１５内の木材の冷却と共に水分も放出していくと共に木材乾燥室１５の床面の吸込口Ｃより循環送風機９を介して結露用ダクト１４−２と吹出口Ｄに通気させて温度差によることで飽和水蒸気の余剰水を結露させて排水し、除湿して床下放熱ボックス３の吸込口Ｂより上昇用壁ダクト１６、軒先３３、屋根材下ダクト１３、集熱ボックス２４、降下用壁ダクト１４−１に通気して下部吹出口Ａより緩やかに木材乾燥室１５を加温して乾燥木材６０と被乾燥木材６１も加温され、含水量が同化する。
木材乾燥室１５の床面の吸込口Ｃより循環送風機９を介して結露用ダクト１４−２に通気させて温度差により飽和水蒸気の余剰水を自然結露させて0.004ｌ／ｍ３の結露水を排水し、除湿して床下放熱ボックス３の吸込口Ｂより循環送風を繰り返し行うことで所定の含水率（１２〜１５％以下）にすることができる。
【００３０】
以上、木材乾燥装置の基本的な構成について説明してきたが図１に記載されているように、常時灌水層３７や、地下水循環用上井戸４６−１と地下水循環用下井戸４６−２を設けることにより、木材乾燥機能を向上させることができる。
常時灌水層３７は、蓄熱層１９の地中側に設けられ、割栗石と水とから構成されている。この常時灌水層３７を設けることにより、水により飛躍的に伝導率が高まり、蓄熱量の増加や短時間で地中恒温層２０の地中熱を熱平衡できる。
また、地下水循環用上井戸４６−１と地下水循環用下井戸４６−２は、それぞれ上端部を床下放熱ボックス３に、下端部を蓄熱層１９より地中側に設けた井戸であり、地下水循環用上井戸４６−１と地下水循環用下井戸４６−２は床下放熱ボックス３に別途設けられた循環ポンプ３１−２と放熱機１８と介してパイプで接続されている。
これら地下水循環用上井戸４６−１、地下水循環用下井戸４６−２、循環ポンプ３１−２、放熱機１８を設けることにより、地下水の地中熱を潤沢に採熱することできので、床下放熱ボックス３内に安定した地中恒温層２０の地中熱を確保でき、温度差による結露が促進されることで木材の乾燥時間の短縮になる。
【００３１】
本発明は図７に記載されているように、木材乾燥装置の冬期の床下放熱ボックス平面図は床下放熱ボックス３の周囲に基礎コンクリート４の蓄熱層１９と遮水機能を付加した地中側断熱材１が地下3.0ｍ以上に挿入され、地中恒熱層２０より熱平衡で地中熱の採熱ができ床下放熱ボックス３内が15〜16℃になっている。
また、床下放熱ボックス３には地下水循環用上井戸４６−１と地下水循環用下井戸４６−２があり、循環ポンプ３１を介して地下水を循環して地中熱のみを放熱機１８で潤沢に放熱して安定した地中熱を床下放熱ボックス３に供給している。
床下放熱ボックス３には吸込口Ｂがあり上昇用壁ダクト１６、軒先３３、屋根材下ダクト１３に通気し、循環送風している。床下放熱ボックス３には結露用ダクト１４−２で飽和水蒸気の過剰水を自然結露させて結露水を排水して除湿している。
【００３２】
本発明は図８に記載されているように、木材乾燥装置の夏期の床下放熱ボックス平面図は床下放熱ボックス３の周囲に基礎コンクリート４の蓄熱層１９と遮水機能を付加した地中側断熱材１が地下3.0ｍ以上に挿入され、地中恒熱層２０より熱平衡で地中熱の採熱ができ床下放熱ボックス３内が15〜16℃になっている。
また、床下放熱ボックス３には地下水循環用上井戸４６−１と地下水循環用下井戸４６−２があり、循環ポンプ３１を介して地下水を循環して地中熱のみを放熱機１８で潤沢に放熱して安定した地中熱を床下放熱ボックス３に供給している。
床下放熱ボックス３には吸込口Ｂがあり上昇用壁ダクト１６、軒先３３、屋根材下ダクト１３に通気し、循環送風している。
地上の外部に吸気口２８が上昇用壁ダクト１６が接続し、夏期の外気の高温を時々供給して屋根材下ドクト１３の太陽熱に加算して短時間で温度上昇を図っている。床下放熱ボックス３には結露用ダクト１４−２で飽和水蒸気の過剰水を自然結露させて結露水を排水して除湿している。
【００３３】
本発明は断面図を図示した図９（Ａ）と平面図を図示した図９（Ｂ）図９（Ａ）（
Ｂ）に記載されているように、地中断熱材１はパワーショベル掘削５５で地中3.0ｍ以
上に掘削して掘削部５底部に割栗石厚100ｍｍ６５と均しモルタル厚50ｍｍ６６を敷
き込み、その上部に単体の地中側断熱材１を設け、下層部を段階的に埋め立てクラシ
ャラン層厚200ｍｍ３２の底部まで埋め、その上部と地中側断熱材１の内側に基礎コン
クリート４を設けて床下放熱ボックス３にする。
地中側断熱材１が地下3.0ｍ以上に挿入されることで地中恒熱層２０より熱平衡で地
中熱が採熱され15〜16℃になっている。
【００３４】
本発明は図１０に記載されているように、木材乾燥装置冬期の木材乾燥室平面図は
周囲を外壁断熱材２２に周囲を囲まれ木材乾燥室１５で一方に搬入扉４７がある。間
仕切壁２７と外壁断熱材２２の間に降下用壁ダクト１４−１が接続され下部に下部吹
出口Ａが設けられ緩やかに加温され、乾燥木材６０と被乾燥木材６１の含水量を同化
させつつ、木材乾燥室１５の床面の吸込口Ｃに循環送風機９を介して結露用ダクト１
４−２より床下放熱ボックス３に送風している。
また、真空式太陽熱温水器１７から循環ポンプ３１−１を介してベースボードヒー
タ２６で加温して乾燥木材６０と被乾燥木材６１の含水量を同化させつつ、木材から
の水分を放出させ、床の吸込口Ｃより循環送風機９を介して結露用ダクト１４−２で
ている。
【００３５】
本発明は図１１に記載されているように、木材乾燥装置夏期の木材乾燥室平面図は
周囲を外壁断熱材２２に周囲を囲まれ木材乾燥室１５で一方に搬入扉４７がある。間
仕切壁２７と外壁断熱材２２の間に降下用壁ダクト１４−１が接続され下部に下部吹
出口Ａが設けられ緩やかに加温され、乾燥木材６０と被乾燥木材６１の含水量を同化
させつつ、木材乾燥室１５の床面の吸込口Ｃに循環送風機９を介して結露用ダクト１
４−２より床下放熱ボックス３に送風している。
また、真空式太陽熱温水器１７から循環ポンプ３１−１を介してベースボードヒー
タ２６で加温して乾燥木材６０と被乾燥木材６１の含水量を同化させつつ、木材から
の水分を放出させ、床の吸込口Ｃより循環送風機９を介して結露用ダクト１４−２で
ている。
また、外部に給気口２８を設けて高温の外気を給気口２８より時々給気して上昇用壁ダクト１６、軒先３３、屋根材下ダクト１３に通気し、加温を促進している。
【００３６】
本発明は図１２に記載されているように、木材乾燥装置冬期の屋根伏図は屋根材下
と下地材に囲まれた空間か筒型ダクトが屋根面全体に設けられた屋根材下ダクト１３
で棟部付近にテンパーライト４２、棟部に棟凹形ＳＵＳ鏡面太陽熱集熱器４３で屋根
材下ダクト１３を加温し、上昇気流で暖気を集熱ボックス２４に集中させて降下送風
機８を介して降下用壁ダクト１４−１の下部の下部吹出口Ａより0.1ｍ／秒の風速で
木材乾燥室１５に送風する。
また、真空式太陽熱温水器１７と太陽熱採熱ハンドリング銅管４４でも太陽熱を集
熱し、循環ポンプ３１−１を介して２系統の温水パイプで木材乾燥室１５のベースボ
ードヒータ２６で放熱する。
【００３７】
本発明は図１３に記載されているように、木材乾燥装置夏期の屋根伏図は屋根材下
と下地材に囲まれた空間か筒型ダクトが屋根面全体に設けられた屋根材下ダクト１３
で棟部付近にテンパーライト４２、棟部に棟凹形ＳＵＳ鏡面太陽熱集熱器４３で屋根
材下ダクト１３を加温し、上昇気流で暖気を集熱ボックス２４に集中させて降下送風
機８を介して降下用壁ダクト１４−１の下部の下部吹出口Ａより0.1ｍ／秒の風速で
木材乾燥室１５に送風する。
また、真空式太陽熱温水器１７と太陽熱採熱ハンドリング銅管４４でも太陽熱を集
熱し、循環ポンプ３１−１を介して２系統の温水パイプで木材乾燥室１５のベースボ
ードヒータ２６で放熱する。
【実施例】
【００３８】
本発明は、地域特性としてその地域の年平均気温が地中恒温層３ｍ以上の地中熱であり場所により採用できる。地中熱の違いがあるが何処の地域でも加温が可能となる。また、木材乾燥に適した木材乾燥装置ができる。
【符号の説明】
【００３９】
１・・地中側断熱材
２・・遮水連結部
３・・床下放熱ボックス
４・・基礎コンクリート
５・・掘削部
６・・設計地盤
７・・ダンパー
８・・降下送風機
９・・循環送風機
１０・・補助除湿機
１１・・水３倍膨張性ゴム
１２・・太陽熱循環ダクト
１３・・屋根材下ダクト
１４−１・・降下用壁ダクト
１４−２・・結露用ダクト
１５・・木材乾燥室
１６・・上昇用壁ダクト
１７・・真空式太陽熱温水器
１８・・放熱機
１９・・蓄熱層
２０・・地中恒温層
２１・・外壁
２２・・外壁部断熱材
２３・・黴除去フィルター
２４・・集熱ボックス
２５・・自然換気窓
２６・・ベースボードヒータ
２７・・間仕切壁
２８・・吸気口
２９・・防水層
３０・・小屋裏
３１−１・・太陽熱用循環ポンプ
３１−２・・地下水用循環ポンプ
３２・・クラシャラン厚200ｍｍ
３３・・軒先
３４・・雨水中水道タンク
３５・・雨水防災タンク
３６・・自然結露銅金網
３７・・常時灌水層
３８・・雨水中水道タンク
３９・・雨水防災タンク
４０・・排水孔
４１・・金属瓦棒葺（下地アルミ箔敷き）
４２・・テンパーライト
４３・・棟凹形ＳＵＳ鏡面太陽熱集熱器
４４・・太陽熱採熱ハンドリング銅管
４５・・壁面空気層
４６−１・・地下水循環用上井戸
４６−２・・地下水循環用下井戸
４７・・搬入扉
４８・・床下点検口
４９・・棟
５０・・敷金物
５１・・冠金物
５２・・浮式水位計
５３・・埋立土
５４・・モルタル仕上
５５・・パワーショベル掘削
５６・・接着剤
５７・・断熱層
５８・・１階床組
５９・・束（φ250鉄筋コンクリート）
６０・・乾燥木材
６１・・被乾燥木材
６２・・断面図
６３・・平面図
６４・・地下水温採取装置
６５・・割栗石厚100ｍｍ
６６・・均しモルタル厚50ｍｍ
６７・・常時灌水層下防水シート
６８・・防水シート
Ａ・・下部吹出口
Ｂ・・吸込口
Ｃ・・吸込口
Ｄ・・吹出口
【図１】
2014077574.tif 000003
【図２】
2014077574.tif 000004
【図３】
2014077574.tif 000005
【図４】
2014077574.tif 000006
【図５】
2014077574.tif 000007
【図６】
2014077574.tif 000008
【図７】
2014077574.tif 000009
【図８】
2014077574.tif 000010
【図９】
2014077574.tif 000011
【図１０】
2014077574.tif 000012
【図１１】
2014077574.tif 000013
【図１２】
2014077574.tif 000014
【図１３】
2014077574.tif 000015